(57)【要約】【課題】鋭利な部分の露出による他のケーブルや電子部品等への影響を抑えることができ、作業者に対する十分な安全性も確保することができるケーブルの端末構造を提供する。【解決手段】本考案のケーブルの端末構造は、外被３から心線２を口出ししたケーブル１の端末部分を、金属ベルト１１のベルト部１２をケーブル１の外被３に巻き付けて係止部１３の係止孔１３ａへ挿通して折り返し、折り返した余剰部分を係止部１３付近で切断する。金属ベルト１１の緊結箇所である係止部１３及びベルト部１２の切断箇所を紫外線硬化型の樹脂１５によって覆って硬化させる。【選択図】図１
0003123111.tif 000002
【実用新案登録請求の範囲】
【請求項１】
複数の心線を外被によって被覆したケーブルにおける端末構造であって、
前記外被から前記心線を口出しした端末部分で、前記外被の外周に金属ベルトが巻き付けられ、前記金属ベルトの緊結箇所が樹脂によって覆われていることを特徴とするケーブルの端末構造。
【請求項２】
請求項１に記載のケーブルの端末構造であって、
前記金属ベルトは、帯状のベルト部と、このベルト部の基端に形成された係止部とを備え、
前記ベルト部が前記外被の外周に巻き付けられて前記係止部に形成された係止孔へ挿通されて折り返され、折り返された余剰部分が前記係止部付近で切断され、前記金属ベルトの少なくともベルト部の切断箇所が前記樹脂によって覆われていることを特徴とするケーブルの端末構造。
【請求項３】
請求項１または２に記載のケーブルの端末構造であって、
前記樹脂として、紫外線硬化型樹脂が用いられていることを特徴とするケーブルの端末構造。
【請求項４】
請求項１から３の何れか一項に記載のケーブルの端末構造であって、
前記外被から口出しされた前記心線の一部が折り返され、前記金属ベルトによって前記外被とともに結束されていることを特徴とするケーブルの端末構造。
【考案の詳細な説明】
【技術分野】
【０００１】
本考案は、複数の心線を有するケーブルの端末部分における端末構造に関する。
【背景技術】
【０００２】
近年、電子機器や医療機器などのケーブルハーネスとして、細径化された複数の心線を有するケーブルが用いられている。
この種のケーブルの端末構造としては、ケーブルの端末部分に環状の押さえ具を固定するものが知られている（例えば、特許文献１参照）。
【０００３】
【特許文献１】特開２００３−１４２２００号公報
【考案の開示】
【考案が解決しようとする課題】
【０００４】
ケーブルの端末処理のときに、外被の端や外部導体を固定するために金属ベルトを巻くことができる。余分なベルト部は、ケーブルの結束後に切断することになるが、ベルト部の鋭利な切断部が露出した状態となるため、この切断部が他のケーブルや電子部品等に干渉することにより、これらケーブルや電子部品等が損傷する虞があった。また、このケーブルを取り扱う作業者が素手で接触してしまうと負傷する虞があるため、取り扱い時に注意を払う必要があった。
【０００５】
そこで本考案は、外被の切断端が固定され、かつ鋭利な部分の露出による他のケーブルや電子部品等への影響を抑えることができ、作業者に対する十分な安全性も確保することができるケーブルの端末構造を提供することを目的としている。
【課題を解決するための手段】
【０００６】
上記課題を解決することのできる本考案のケーブルの端末構造は、複数の心線を外被によって被覆したケーブルにおける端末構造であって、前記外被から前記心線を口出しした端末部分で、前記外被の外周に金属ベルトが巻き付けられ、前記金属ベルトの緊結箇所が樹脂によって覆われていることを特徴とする。
【０００７】
また、本考案のケーブルの端末構造において、前記金属ベルトは、帯状のベルト部と、このベルト部の基端に形成された係止部とを備え、前記ベルト部が前記外被の外周に巻き付けられて前記係止部に形成された係止孔へ挿通されて折り返され、折り返された余剰部分が前記係止部付近で切断され、前記金属ベルトの少なくともベルト部の切断箇所が前記樹脂によって覆われていることが好ましい。
【０００８】
また、本考案のケーブルの端末構造において、前記樹脂として、紫外線硬化型樹脂が用いられていることが好ましい。
【０００９】
また、本考案のケーブルの端末構造において、前記外被から口出しされた前記心線の一部が折り返され、前記金属ベルトによって前記外被とともに結束されていても良い。
【考案の効果】
【００１０】
本考案のケーブルの端末構造によれば、鋭利な部分となりやすい金属ベルトの緊結箇所を樹脂で覆うことにより、他のケーブルや電子部品等を損傷することが防止され、作業者への安全性も確保することができる。
【考案を実施するための最良の形態】
【００１１】
以下、本考案に係るケーブルの端末構造の実施形態の例について図面を参照して説明する。
図１は本実施形態に係るケーブルの端末構造を示す斜視図であり、図２はケーブルの端末部分における断面概略図であり、図３はケーブルを結束する金属ベルトの斜視図である。
【００１２】
図１に示すケーブル１は、電子機器や医療機器などのケーブルハーネスとして用いられるもので、複数の極細の心線２を有し、これら心線２の周囲が外被３によって被覆されている。
このケーブル１は、その端末部分で外被３が所定長さ剥がされて除去され、心線２が外被３から口出しされた状態で、電子部品等が実装された基板４に接続されている。または、基板４に着脱されるコネクタ５に接続されている。なお、ケーブル１が超音波診断装置用のケーブルハーネスとして用いられる場合には、ケーブル１は図１に示した端末と反対側でプローブに接続されている。
【００１３】
次に、ケーブル１の端末構造について説明する。
図１及び図２に示すように、このケーブル１には、心線２を口出しした端末部分が可撓性を有する金属材料から形成された金属ベルト１１によって結束されている。なお、この金属ベルト１１によって、外被３から口出しされて折り返された外部導体６の一部もケーブル１とともに結束されている。
【００１４】
図３に示すように、この金属ベルト１１は、一方の端部に係止部１３を備えている。係止部１３には、ベルト部１２が挿通可能な係止孔１３ａが形成されている。
そして、ケーブル１は、その端末部分で、外被３の外周に金属ベルト１１を巻き付け、ベルト部１２の先端を係止部１３の係止孔１３ａへ挿通させて引っ張り、さらに折り返して係止することにより、外被３の上から結束されている。また、金属ベルト１１は、係止部１３の係止孔１３ａから引き出されて折り返された余分なベルト部１２（余剰部分）が係止部１３の付近でケーブル１の結束後に切断されている。
【００１５】
上記のように結束されたケーブル１の端末部分では、金属ベルト１１の緊結箇所である係止部１３がベルト部１２の折り返し箇所及び切断箇所とともに樹脂１５によって覆われている。この樹脂１５は、紫外線硬化型樹脂からなるもので、ケーブル１を結束し、ベルト部１２の余剰部分を切断した後に、この紫外線硬化型樹脂１５を係止部１３及びベルト部１２の切断箇所を覆うように塗布して紫外線を照射することにより、即時に硬化されている。
【００１６】
このように、上記実施形態に係るケーブルの端末構造によれば、ケーブル１の端末部分で、外被３の上から巻き付けられた金属ベルト１１の緊結箇所である係止部１３及びベルト部１２の切断箇所が樹脂１５によって覆われているので、この緊結箇所が他のケーブルや電子部品等へ接触して傷付けるような不具合をなくすことができ、作業者に対する十分な安全性も確保することができる。また、樹脂１５によって緊結箇所が覆われているので、金属ベルト１１の緊結箇所における緊結状態を確実に維持することができる。
【００１７】
また、係止部１３及びベルト部１２の切断箇所からなる緊結箇所が紫外線硬化型の樹脂１５によって覆われた構造であるので、作業時には、この緊結箇所へ樹脂１５を塗布して紫外線を照射することにより、極めて迅速に樹脂１５を硬化させることができる。これにより、ケーブル１の端末処理の作業性の向上を図ることができるとともに、端末処理を行った後に、迅速かつ安全に次工程へ移行することができる。
【００１８】
なお、上記樹脂１５は、紫外線硬化型の樹脂以外であっても良く、例えば熱硬化型樹脂を使用することもできる。
また、上記実施形態では外被３から口出しされて折り返された心線２の一部を金属ベルト１１によって結束しても良い。
【００１９】
また、ケーブル１の両端末部分で、金属製の円筒部品にケーブル１の一括編組や外被端部を折り返して金属ベルト１１で固定することにより、ケーブル１内の心線に負荷をかけることなく引っ張り力を保持することができる。また、ケーブル１内の介在物に炭素繊維の糸を使用する場合があるが、その両端をこの金属ベルト１１に結びこんで引っ張り力を維持できる。これらの構造の場合でも、金属ベルト１１の切断箇所を樹脂１５で覆うことにより、これらのケーブルを用いてセンサー等を組み立てる場合に金属ベルト１１の切断箇所による負傷を防ぐことができる。
【図面の簡単な説明】
【００２０】
【図１】本考案に係るケーブルの端末構造の一例を示す斜視図である。
【図２】ケーブルの端末部分における断面図である。
【図３】ケーブルを結束する金属ベルトの斜視図である。
【符号の説明】
【００２１】
１  ケーブル
２  心線
３  外被
６  外部導体
１１  金属ベルト
１２  ベルト部
１３  係止部
１３ａ  係止孔
１５  樹脂
【図１】
0003123111.tif 000003
【図２】
0003123111.tif 000004
【図３】
0003123111.tif 000005